(57)【特許請求の範囲】
【請求項１】
押圧操作によって音高を決定する指板部の当該押圧操作位置に設けられ色指定情報に応じて異なる色で発光する所定数の指板発光手段と、
曲情報に応じて前記指板発光手段のすべての中から音高に一義的に対応する押圧位置のみを発光させる指板発光手段を指定するための発光パターンを作成するパターン作成手段と、
当該曲情報に含まれている発音情報の進行に応じて押圧操作する指種を指定する押圧指種指定手段と、
弾弦操作によって発音を指示する弾弦部の各弦に対応して設けられ色指定情報に応じて異なる色で発光する、弦方向と直角方向に移動可能な弾弦発光手段と、
前記発音情報の進行に応じて弾弦する弦及び指種を指定する弾弦指種指定手段と、
前記パターン作成手段によって作成された発光パターンと前記押圧指種指定手段によって指定された指種とに応じて発光すべき指板発光手段に対して色指定情報を出力し、前記弾弦指種指定手段で指定された弦及び指種に応じて前記弾弦発光手段に対して色指定情報を出力する発光制御手段と、
を備えたことを特徴とするナビゲーション装置。
【請求項２】
複数の発光パターンを記憶する記憶手段をさらに備え、前記パターン作成手段は、曲情報に含まれる発光パターン選択情報に応じて、前記記憶手段の発光パターンを選択することを特徴とする請求項１に記載のナビゲーション装置。
【発明の詳細な説明】
【０００１】
【発明の属する技術分野】
この発明は、曲情報に応じて演奏操作をガイドするナビゲーション装置に関する。
【０００２】
【従来の技術】
鍵盤楽器においては、押鍵する鍵番号に応じて一義的に発音する音高が決定するので、正しい鍵番号を押鍵すれば初心者でもなんとか発音させることができる。したがって、押鍵操作をガイドするナビゲーション装置によれば、初心者でも容易に演奏技術の向上を図ることが可能である。
【０００３】
【発明が解決しようとする課題】
ところが弦楽器においては、指板部において同じ音高を指定する押圧位置が複数あるので、初心者にはどの位置を押圧すべきか、さらにどの指種で押圧するか迷ってしまう。また、どの指種で弾弦するかも初心者には分かりにくい。このため、ある程度のレベルに達するまで我慢できずに練習を放棄するケースが多く、弾弦操作をガイドするナビゲーション装置の実現が待ち望まれていた。
この発明の課題は、初心者でも容易に押弦操作ができるナビゲーション装置を提供することである。
【０００４】
【課題を解決するための手段】
この発明は、押圧操作によって音高を決定する指板部の当該押圧操作位置に設けられ、色指定情報に応じて異なる色で発光する所定数の指板発光手段と、曲情報に応じて指板発光手段のすべての中から、音高に一義的に対応する押圧位置のみを発光させる指板発光手段を指定するための発光パターンを作成するパターン作成手段と、曲情報に含まれている発音情報の進行に応じて押圧操作する指種を指定する押圧指種指定手段と、弾弦操作によって発音を指示する弾弦部の各弦に対応して設けられ色指定情報に応じて異なる色で発光する、弦方向と直角方向に移動可能な弾弦発光手段と、発音情報の進行に応じて弾弦する弦及び指種を指定する弾弦指種指定手段と、パターン作成手段によって作成された発光パターンと押圧指種指定手段によって指定された指種とに応じて、発光すべき指板発光手段に対して色指定情報を出力し、弾弦指種指定手段で指定された弦及び指種に応じて弾弦発光手段に対して色指定情報を出力する発光制御手段と、を備えた構成になっている。
この発明によれば、曲情報に応じて発光パターンを作成し、その発光パターンによって、音高に一義的に対応する押圧位置のみを発光させる。この場合に、曲情報に含まれている発音情報の進行に応じて指定された指種に対応する色で発光させる。
【０００５】
【発明の実施の形態】
以下、本発明のナビゲーション装置の第１〜第５実施形態について、電子ギターを例に採り図を参照して説明する。この電子ギターは、フロッピーディスクに記録された曲情報に基づいて、演奏操作をガイドするナビゲーションを行う。
図１（１）及び（２）は、各実施形態における電子ギターの側面図及び平面図である。ボディ１にはネック２が固定されている。そして、ネック２の先端部に設けられたヘッド３と、ボディ１の操作面の中央部に設けられたテールピース４との間に、６本の弦５が張られている。また、ネック２の表面には、押圧操作によって音高を指定する指板部６が形成されている。ボディ１の操作面には、スピーカ７、各種スイッチからなるコントロールパネル８が設けられ、弦５の弾弦位置にはナビプレート９が設けられている。また、ボディ１の側面には、フロッピーディスクを挿入するためのＦＤ挿入口１０が形成されている。
【０００６】
図２は、指板部６の一部を示す拡大図である。指板部６の各フレット１１間の各弦５に対応する位置すなわち押圧位置には、押圧操作をガイドするために発光するナビゲーションＬＥＤ（以下、ナビＬＥＤという）１２すなわち指板発光手段が設けられている。そして、曲情報に含まれている発音情報の音高データに対応する弦５及びフレット１１の位置のナビＬＥＤが発光する。図３は、ナビプレート９の拡大図である。このナビプレート９には、各弦５に対応する位置に、弾弦操作をガイドするためのナビＬＥＤ１３が設けられている。
【０００７】
図４は、コントロールパネル８の拡大図である。スイッチ１４は、電源スイッチ及びモード設定スイッチを兼用している。設定するモードには、通常の演奏モード（ＮＯＭ）とナビゲーションモード（ＮＡＶＩ）とがある。ＰＬＡＹ／ＰＡＵＳＥスイッチ１５は、フロッピーディスクの曲の自動演奏のスタート及び一時停止のスイッチであり、ＳＴＯＰスイッチ１６は、自動演奏を停止するスイッチである。テンキー１７は、フロッピーディスクの曲番号を選択するスイッチであり、表示部１８は選択された曲番号を表示するＬＣＤである。その他、音量調整のボリューム１９、音質調整のボリューム２０が設けられている。
【０００８】
図５は、第１実施形態における電子ギターの内部のシステム構成を示すブロック図である。ＣＰＵ２１は、コントロールパネル８のインタフェース２２に接続されているとともに、システムバス２３を介してワークＲＡＭ２４、プログラムＲＯＭ２５、ＦＤＣ（フロッピーディスクコントローラ）２６、音源２７、ＬＥＤコントローラ２８に接続されている。ＦＤＣ２６には、フロッピーディスクを駆動するためのフロッピーディスクドライバユニット２９が接続されている。音源２７には、楽音信号をディジタルからアナログに変換し、増幅してスピーカ７に出力するＤＡＣ／ＡＭＰ３０が接続されている。また、ＬＥＤコントローラ２８には、ナビＬＥＤ１２及び１３を駆動するＬＥＤ駆動回路３１が接続されている。
【０００９】
次に、第１実施形態におけるＣＰＵ２１の動作について、図６〜図１１のフローに基づいて説明する。図６において、ＲＡＭ２４その他の各デバイスのイニシャライズ処理をして（ステップＡ１）、メインフローを実行する（ステップＡ２）。メインフローにおいては、図７に示すように、新しいイベントが発生したか否かを判別し（ステップＢ１）、新しいイベントが発生した場合には、そのイベント処理を行う（ステップＢ２）。イベント処理では、図８に示すように、どのスイッチでイベントが発生したか否かを判別し（ステップＣ１）、ＰＬＡＹスイッチである場合には、ＰＬＡＹスイッチ処理を実行する（ステップＣ２）。
【００１０】
ＰＬＡＹスイッチ処理では、図９に示すように、ＦＤの曲情報が再生中でないか否かを判別し（ステップＤ１）、再生中でない場合にはＦＤ上の曲情報を読み取り、ワークＲＡＭ２４へ書き込みを行う（ステップＤ２）。次に、再生用タイマ処理のイニシャライズを行い、曲の自動演奏をスタートする（ステップＤ３）。ステップＤ１において、曲情報が再生中である場合には、再生用タイマ処理を停止する（ステップＤ４）。
【００１１】
ステップＤ３における処理では、図１０に示すように、タイマインターバルをセットして（ステップＥ１）、タイマカウントの値をクリアする（ステップＥ２）。そして、タイマ割り込み処理を許可する（ステップＥ３）。次に、ワークＲＡＭ２４用の曲情報のポインタを初期化し（ステップＥ４）、タイマをスタートする（ステップＥ５）。したがって、セットしたタイマインターバルの時間ごとにタイマ割り込みが発生し、ＣＰＵ２１はタイマ割り込み処理を実行する。
【００１２】
タイマ割り込み処理では、図１１に示すように、曲情報読み込みを行い（ステップＦ１）、その曲情報が発音情報か否かを判別する（ステップＦ２）。発音情報である場合には、その発音情報を音源２７に送信する（ステップＦ３）。曲情報が発光情報であるか否かを判別し（ステップＦ４）、発光情報である場合には、その発光情報をＬＥＤコントローラ２８に送信する（ステップＦ５）。そして、今回さらなる送信データがあるか否かを判別し（ステップＦ６）、送信データがある場合にはステップＦ２に移行する。一方、送信データがない場合には、曲情報ポインタをインクリメントして（ステップＦ７）、次回割り込みインターバルをセットする（ステップＦ８）。
【００１３】
次に、第１実施形態におけるＬＥＤコントローラ２８の動作について、図１２〜図１５のフローに基づいて説明する。図１２において、内部のレジスタ等のデバイスのイニシャライズ処理をして（ステップＧ１）、メインフローを実行する（ステップＧ２）。メインフローにおいては、図１３に示すように、新しいイベントが発生したか否かを判別し（ステップＨ１）、新しいイベントが発生した場合には、そのイベント処理を行う（ステップＨ２）。イベント処理では、図１４に示すように、どの種のイベントが発生したか否かを判別し（ステップＪ１）、ＣＰＵ２１より新規データを受信した場合には、その新規データを処理する（ステップＪ２）。
【００１４】
新規データの処理は、図１５に示すように、指板座標（Ｆｘ、Ｆｙ）を設定し（ステップＫ１）、光オンであるか否かを判別する（ステップＫ２）。光オンである場合には、指板部６のナビＬＥＤ（Ｆｘ、Ｆｙ）を発光し（ステップＫ３）、光オフである場合にはナビＬＥＤ（Ｆｘ、Ｆｙ）を消光する（ステップＫ４）。次に、弦座標（Ｇｘ）を設定し（ステップＫ５）、光オンであるか否かを判別する（ステップＫ６）。光オンである場合には、ナビプレート９のナビＬＥＤ（Ｇｘ）を発光し（ステップＫ７）、光オフである場合にはナビＬＥＤ（Ｇｘ）を消光する（ステップＫ８）。
【００１５】
このように、上記第１実施形態によれば、曲情報に含まれている発音情報の進行に応じて、指板部６の押圧操作すべき位置に対応するナビＬＥＤ１２を発光させ、弾弦部であるナビプレート９の弾弦すべき弦に対応するナビＬＥＤ１３を発光させる。したがって、初心者でも容易に押弦操作及び弾弦操作をすることができる。
【００１６】
次に、本発明の第２実施形態について説明する。図１６は、指板部６におけるナビＬＥＤ１２Ａの１つを拡大した図である。この図に示すように、任意の弦の任意のフレットにおけるナビＬＥＤは、赤、緑、黄、青の４色の異なる色で発光する発光素子で構成されている。この場合において、赤、緑、黄、青の色は、それぞれ、押圧操作する指種である、ひとさし指、中指、くすり指、小指に対応している。図１７は、ナビプレート９のナビＬＥＤ１３Ａの１つを拡大した図である。この図に示すように、ナビＬＥＤは、赤、緑、黄、青、白の５色の異なる色で発光する発光素子で構成されている。この場合において、赤、緑、黄、青、白の色は、それぞれ、弾弦する指種、親指、ひとさし指、中指、くすり指、小指に対応している。
【００１７】
したがって、図１８に示す第２実施形態の構成において、多色ＬＥＤ駆動回路３２が設けられている。その他の構成については、第１実施形態の場合とほとんど同じであり、第２実施形態におけるＣＰＵ２１の動作も、図７〜図１１に示した第１実施形態のフローと同じである。また、ＬＥＤコントローラ２８の動作についても、メインフロー等は第１実施形態の図１２〜図１４のフローと同じであるが、新規データ処理については第１実施形態と異なる。
【００１８】
すなわち、図１９に示すように、指板座標（Ｆｘ、Ｆｙ）を設定し（ステップＬ１）、光オンであるか否かを判別する（ステップＬ２）。光オンである場合には、押圧操作の指種に対応する色指定情報である色設定（Ｆｃｏｌ）をして（ステップＬ３）、指板部６のナビＬＥＤ（Ｆｘ、Ｆｙ）を発光し（ステップＬ４）、光オフである場合にはナビＬＥＤ（Ｆｘ、Ｆｙ）を消光する（ステップＬ５）。次に、弦座標（Ｇｘ）を設定し（ステップＬ６）、光オンであるか否かを判別する（ステップＬ７）。光オンである場合には、弾弦操作の指種に対応する色指定情報である色設定（Ｇｃｏｌ）をして（ステップＬ８）、ナビプレート９のナビＬＥＤ（Ｇｘ）を発光し（ステップＬ９）、光オフである場合にはナビＬＥＤ（Ｇｘ）を消光する（ステップＬ１０）。
【００１９】
このように、上記第２実施形態によれば、曲情報に含まれている発音情報の進行に応じて、押圧操作する手の指定された指種に対応する色で指板部６のナビＬＥＤ１２Ａを発光させる。例えば、指板部６のナビＬＥＤ１２Ａが緑色で発光し、ナビプレート９の第６弦に対応するナビＬＥＤ１３Ａが赤色で発光した場合には、左手の中指で発光した位置のフレットを押圧し、右手の親指で第６弦を弾弦するようにナビゲーションを行う。したがって、初心者でも押弦操作及び弾弦操作をどの指種ですればよいかを容易に判断することができる。
【００２０】
次に、本発明の第３実施形態について、図２０〜図２３を参照して説明する。
第１実施形態において説明したように、ナビプレート９のナビＬＥＤの各々は、各弦に対応している。演奏者が椅子等に座って演奏する場合には、各弦の位置の下に対応するナビＬＥＤの位置になるように、視線を合わせることが容易に可能であるが、演奏者が立って演奏する場合には、各弦の位置と対応するナビＬＥＤの位置とが視線と一致せず、斜めになってしまう。第３実施形態は、この問題を解決するものであり、ナビプレート９が可動式になっている。このような可動式のナビプレートを実現するには種々の構造が考えられる。
【００２１】
例えば、図２０に示す構造において、１ｒ〜６ｒの６個のナビＬＥＤをもつナビプレート４１の一方の側面４１ａには部材４２が固定され、この部材４２にはタップ加工された孔が形成されている。また、ボディ１における部材４２に対応する位置には部材４３が固定され、部材４２の孔に対向する位置に孔が形成されている。そして、ねじ４４が部材４３の孔から挿入されて、部材４２のタップ加工された孔に捩じ込む構造となっている。この場合において、部材４２と部材４３との間を押し拡げるためのコイルスプリング４５がねじ４４に貫通されている。また、ナビプレート４１のボディ側の底面には、ねじ４４に並行して溝４６が形成されている。この溝４６は、ボディ１に設けられたガイドレール４７に摺動自在に係合されている。
【００２２】
このような構造において、ねじ４４を時計方向に回した場合には、部材４２がコイルスプリング４５の付勢力に抗して部材４３に引き寄せられる。したがって、部材４２に固定されたナビプレート４１も部材４３側に移動する。反対に、ねじ４４を反時計方向に回した場合には、部材４２は部材４３から離れてゆき、部材４２に固定されたナビプレート４１も部材４３と反対側に移動する。すなわち、ねじ４４を回すことにより、ナビプレート４１を弦（図示せず）の張り方向とは直角方向（図の矢印方向）に摺動させることができる。
【００２３】
あるいは図２１に示す他の構造において、１ｒ〜６ｒのナビＬＥＤをもつナビプレート５１は、ボディに固定された２つの部材５２の対面する側面に設けられた溝５３に摺動自在に収納されている。このナビプレート５１のボディ側には、溝５３に並行してタップ加工された孔が形成されている。また、ボディには部材５４が固定され、部材５４に形成された孔の位置がナビプレート５１のタップ加工された孔に対向する位置に形成されている。したがって、ねじ５５を部材５４の孔から挿入すると、ナビプレート５１のタップ加工された孔に捩じ込むことができる。
【００２４】
このような構造において、ねじ５５を時計方向に回した場合には、ナビプレート５１が部材５４側に移動する。反対に、ねじ５５を反時計方向に回した場合には、ナビプレート５１も部材５４と反対側に移動する。すなわち、ねじ５５を回すことにより、ナビプレート５１を弦の張り方向とは直角方向（図の矢印方向）に摺動させることができる。
【００２５】
図２２（１）は、図２１の構造のものを示す平面図であり、図２２（２）はＸ−Ｘ線における断面図である。各弦に対応して設けられた１ｒ〜６ｒのナビＬＥＤのそれぞれは、赤、緑、黄、青、白で発光する発光素子で構成されている。２つの部材５２の一方の上面には、目盛５２ａが形成されている。演奏者は、この目盛５２ａによってナビプレート５１の位置を調整することができる。
【００２６】
図２３は、ナビプレート５１の摺動位置に応じた弦とナビＬＥＤとの位置関係を示す断面図である。図２３（１）及び図２３（２）のいずれの場合にも、点線の方向に視線を合わせることにより、各弦１ｇ〜６ｇとナビＬＥＤ１ｒ〜６ｒが視線上で重なって見えることになる。図２３（１）の場合は、ナビプレート面に対して比較的並行に近い位置に目の位置があり、立って演奏するのに適している。一方、図２３（２）の場合には、ナビプレート面に対して比較的垂直に近い位置に目の位置があり、座って演奏するのに適している。
【００２７】
このように、上記第３実施形態によれば、演奏する姿勢に合わせて各弦１ｇ〜６ｇとナビＬＥＤ１ｒ〜６ｒとが対応するように、弾弦部のナビプレートを上下に摺動させることが可能となる。したがって、より一層正確な弾弦操作をガイドするナビゲーションを実現することができる。
【００２８】
次に、本発明の第４実施形態について、図２４〜図２８を参照して説明する。
図２４〜図２７は、指板部６における各弦１ｇ〜６ｇ及び各フレット１〜２０における、６×２０＝１２０の押圧位置に対応する音高データを示す図である。
これらの図において明らかなように、異なる押圧位置に対して同じ音高のデータが存在する。例えば、Ｃ４の音高は、第２弦の第１フレット、第３弦の第５フレット、第４弦の第１０フレット、第５弦の第１５フレット、第６弦の第２０フレットに存在する。このため、何の対策もしなければ、曲情報の発音情報の音高データがＣ４である場合には、５箇所の押圧位置のナビＬＥＤが発光することになり、初心者はどこの位置を押圧すればよいか迷ってしまう。
【００２９】
第４実施形態はこの問題を解決するものである。ＣＰＵ２１は、指板発光手段であるナビＬＥＤのすべての中から、音高に一義的に対応する押圧位置のみを発光させるナビＬＥＤを指定するための発光パターンを作成する。各発光パターンは、基本フレット位置に基づいたパターンになっている。図２４において、基本フレット位置は第５フレットであり、太線で囲まれた範囲のナビＬＥＤのみが発光するようになっている。すなわち、音高に一義的に対応する押圧位置のみが発光する発光パターンになっている。図２５において、基本フレット位置は第１０フレットであり、太線で囲まれた範囲のナビＬＥＤのみが発光するようになっている。図２６は図２４の基本フレット５の場合の変形例であり、太線で囲まれた範囲のナビＬＥＤのみが発光するようになっている。図２７も図２４の基本フレット５の場合の変形例であり、太線で囲まれた範囲のナビＬＥＤのみが発光するようになっている。
【００３０】
次に、第４実施形態の動作について説明する。
図２８は、ＣＰＵ２１におけるＰＬＡＹスイッチ処理のフローである。この処理では、ＦＤの曲情報が再生中でないか否かを判別し（ステップＭ１）、再生中でない場合にはＦＤ上の曲情報を読み取り、ワークＲＡＭ２４に展開する（ステップＭ２）。次に、基本フレット位置情報より運指雛型（発光パターン）を作成する（ステップＭ３）。そして、メロディパートの発音情報と作成した運指雛型によりＬＥＤ点灯情報に変換する（ステップＭ４）。次に、時系列ＬＥＤ点灯情報をワークＲＡＭ２４に展開する（ステップＭ５）。そして、再生用タイマ処理のイニシャライズを行い、曲の自動演奏をスタートする（ステップＭ６）。ステップＭ１において、曲情報が再生中である場合には、再生用タイマ処理を停止する（ステップＭ７）。
【００３１】
なお、この第４実施形態において、指板部６のナビＬＥＤが押圧する指種ごとに色指定情報に応じて異なる色、赤（ひとさし指）、緑（中指）、黄（くすり指）、青（小指）で発光させるようにしてもよい。
【００３２】
このように、上記第４実施形態によれば、押圧操作によって音高を決定する指板部６の押圧操作位置に設けられたナビＬＥＤは、色指定情報に応じて異なる色で発光する１２０個の指板発光手段を構成する。また、ＣＰＵ２１は、曲情報に応じて、１２０個のナビＬＥＤのすべての中から、音高に一義的に対応する押圧位置のみを発光させる発光パターンを作成するパターン作成手段、曲情報に含まれている発音情報の進行に応じて押圧操作する指種を指定する押圧指種指定手段、及び、作成された発光パターンと指定された指種とに応じて、発光すべきナビＬＥＤに対して発光する色を指定する色指定情報を出力する発光制御手段を構成する。
【００３３】
そして、曲情報に応じて発光パターンを作成し、その発光パターンによって、音高に一義的に対応する押圧位置のみを発光させる。この場合に、曲情報に含まれている発音情報の進行に応じて指定された指種に対応する色で発光させる。したがって、初心者でも容易に押弦操作ができるナビゲーション装置を提供することができる。
【００３４】
次に、本発明の第５実施形態について図２９〜図３２を参照して説明する。
図２９は、ＦＤ上の時間軸上に並ぶ曲情報６１、及びプログラムＲＯＭ２５に記憶されている複数の雛型（発光パターン）６２を示す図である。曲情報６１は、メロディ発音情報、左手運指雛型ポインタ、基本フレット位置情報、右手運指雛型ポインタで構成されている。また、雛型情報６２は、複数種類の左手運指雛型及び複数種類の右手運指雛型で構成されている。ＣＰＵ２１は、メロディ発音情報、左手運指雛型ポインタ、及び基本フレット位置情報に応じて、左手運指雛型を選択し、メロディ発音情報、及び右手雛型ポインタに応じて、右手運指雛型を選択する。図３０にメロディ発音情報の進行に応じた左手及び右手の雛型決定の様子を示す。
【００３５】
図３１及び図３２は、実際の曲情報におけるナビＬＥＤの発光の状態を説明する図である。これらの図において、ＬＰ及びＲＰは、それぞれ左手運指ポインタ及び右手運指ポインタである。例えば、図３１（１）における第１〜２小節において、ＬＰ＝Ｌ１−３は、左手雛型１で基本フレット位置が第３フレットであることを示している。また、Ｒ１及びＲ２は、第１小節が右手雛型１、第２小節が右手雛型２であることを示している。ｆ／ｇは、指板部６における発光させるフレット位置及び弦番号を示している。そして、ＬＦ及びＲＦは、それぞれ指板部６を押圧操作する指種、及び弾弦する指種を示している。
【００３６】
例えば、第１小節の最初の音符では、指板部６の第３フレットの第５弦の位置のナビＬＥＤを赤色で発光させ、その位置を左手のひとさし指で押圧操作するようにナビゲーションするとともに、ナビプレート９の第５弦に対応するナビＬＥＤを赤色で発光させ、親指で第５弦を弾弦するようにナビゲーションする。
【００３７】
このように、上記第５実施形態によれば、プログラムＲＯＭ２５は、複数のパターンの発光パターンを記憶している記憶手段を構成し、ＣＰＵ２１は、１つの曲情報の発音情報の進行に応じて、最適な１つの発光パターンをプログラムＲＯＭ２５から選択する。したがって、曲の進行に応じて柔軟なナビゲーション機能を実現することができ、初心者であっても表現の豊かな演奏を容易に行うことができる。
【００３８】
【発明の効果】
本発明によれば、曲情報に応じて発光パターンを作成し、その発光パターンによって、音高に一義的に対応する押圧位置のみを発光させる。この場合に、曲情報に含まれている発音情報の進行に応じて指定された指種に対応する色で発光させる。したがって、初心者でも容易に押弦操作ができるナビゲーション装置を提供することができる。
【図面の簡単な説明】
【図１】  本発明の第１〜第５実施形態における電子ギターの外観を示す図。
【図２】  図１における指板部の一部の拡大図。
【図３】  図１におけるナビプレートの拡大図。
【図４】  図１におけるコントロールパネルの拡大図。
【図５】  第１実施形態におけるシステム構成を示すブロック図。
【図６】  第１実施形態におけるＣＰＵのフローチャート。
【図７】  図６のステップＡ２におけるメインフローチャート。
【図８】  図７のステップＢ２におけるイベント処理のフローチャート。
【図９】  図８のステップＣ２におけるＰＬＡＹスイッチ処理のフローチャート。
【図１０】  図９のステップＤ３における再生用タイマ処理イニシャライズ処理等のフローチャート。
【図１１】  図１０のステップＥ５におけるタイマスタートに応じたタイマ割り込み処理のフローチャート。
【図１２】  第１実施形態におけるＬＥＤコントローラのフローチャート。
【図１３】  図１２のステップＧ２におけるメインフローチャート。
【図１４】  図１３のステップＨ２のイベント処理のフローチャート。
【図１５】  図１４のステップＪ２における新規データ受信処理のフローチャート。
【図１６】  第２実施形態における指板部のナビＬＥＤの構成を示す図。
【図１７】  第２実施形態におけるナビプレートのナビＬＥＤの構成を示す図。
【図１８】  第２実施形態におけるシステム構成を示すブロック図。
【図１９】  第２実施形態におけるＬＥＤコントローラの新規データ受信処理のフローチャート。
【図２０】  第３実施形態における可動式ナビプレートの構造を示す斜視図。
【図２１】  第３実施形態における可動式ナビプレートの別の構造を示す斜視図。
【図２２】  図２１におけるナビプレートの平面図及び断面図。
【図２３】  第３実施形態における可動式ナビプレートの効果を説明する図。
【図２４】  第４実施形態における指板部の発光パターンを示す図。
【図２５】  第４実施形態における指板部の発光パターンを示す図。
【図２６】  第４実施形態における指板部の発光パターンを示す図。
【図２７】  第４実施形態における指板部の発光パターンを示す図。
【図２８】  第４実施形態におけるＣＰＵのＰＬＡＹスイッチ処理のフローチャート。
【図２９】  第５実施形態における曲情報と雛型情報を示す図。
【図３０】  第５実施形態における発音情報の進行に応じた雛型決定の様子を示す図。
【図３１】  第５実施形態における実際の曲情報におけるナビＬＥＤの発光の状態を説明する図。
【図３２】  図３１に続くナビＬＥＤの発光の状態を説明する図。
【符号の説明】
２１  ＣＰＵ
２２  コントロールパネルインタフェース
２４  ワークＲＡＭ
２５  プログラムＲＯＭ
２６  ＦＤＣ
２８  ＬＥＤコントローラ
２９  フロッピーディスクドライバユニット
３１ ＬＥＤ駆動回路
【図１】
0003700350.tif 000002
【図２】
0003700350.tif 000003
【図３】
0003700350.tif 000004
【図４】
0003700350.tif 000005
【図５】
0003700350.tif 000006
【図６】
0003700350.tif 000007
【図７】
0003700350.tif 000008
【図８】
0003700350.tif 000009
【図９】
0003700350.tif 000010
【図１０】
0003700350.tif 000011
【図１１】
0003700350.tif 000012
【図１２】
0003700350.tif 000013
【図１３】
0003700350.tif 000014
【図１４】
0003700350.tif 000015
【図１５】
0003700350.tif 000016
【図１６】
0003700350.tif 000017
【図１７】
0003700350.tif 000018
【図１８】
0003700350.tif 000019
【図１９】
0003700350.tif 000020
【図２０】
0003700350.tif 000021
【図２１】
0003700350.tif 000022
【図２２】
0003700350.tif 000023
【図２３】
0003700350.tif 000024
【図２４】
0003700350.tif 000025
【図２５】
0003700350.tif 000026
【図２６】
0003700350.tif 000027
【図２７】
0003700350.tif 000028
【図２８】
0003700350.tif 000029
【図２９】
0003700350.tif 000030
【図３０】
0003700350.tif 000031
【図３１】
0003700350.tif 000032
【図３２】
0003700350.tif 000033